(57)【要約】【課題】  光ディスクライブラリ装置において、両面ディスクと片面ディスクが混在している場合でも、効率的にデータにアクセスする。【解決手段】  複数の光ディスクを格納するディスクカートリッジと、前記光ディスクに記録再生を行う光ディスクドライブユニットを複数備える光ディスクドライブと、前記ディスクカートリッジと前記光ディスクドライブとの間で前記光ディスクの搬送を行うディスク搬送機構を備える光ディスクライブラリ装置であって、前記カートリッジは、光ディスクとして片面ディスクと両面ディスクを格納可能なものであり、前記片面ディスクと前記両面ディスクとの搭載されている割合に応じて、前記光ディスクドライブとして表面用の光ディスクドライブユニットと裏面用の光ディスクドライブユニットとを配置した。【選択図】図１
2015176613.tif 000002
【特許請求の範囲】
【請求項１】
複数の光ディスクを格納するディスクカートリッジと、前記光ディスクに記録再生を行う光ディスクドライブユニットを複数備える光ディスクドライブと、前記ディスクカートリッジと前記光ディスクドライブとの間で前記光ディスクの搬送を行うディスク搬送機構を備える光ディスクライブラリ装置であって、
前記カートリッジは、光ディスクとして片面ディスクと両面ディスクを格納可能なものであり、
前記片面ディスクと前記両面ディスクとの搭載されている割合に応じて、前記光ディスクドライブとして表面用の光ディスクドライブユニットと裏面用の光ディスクドライブユニットとを配置した光ディスクライブラリ装置。
【請求項２】
請求項１に記載の光ディスクライブラリ装置において、
前記光ディスクの表面側に記録されたデータ容量と裏面側に記録されたデータ容量との割合に応じて、前記表面用の光ディスクドライブユニットと前記裏面用の光ディスクドライブユニットとを配置した光ディスクライブラリ装置。
【請求項３】
請求項１に記載の光ディスクライブラリ装置において、
前記光ディスクの表面側に記録されているファイル数と裏面側に記録されているファイル数との割合に応じて、前記表面用の光ディスクドライブユニットと前記裏面用の光ディスクドライブユニットとを配置した光ディスクライブラリ装置。
【請求項４】
請求項１に記載の光ディスクライブラリ装置において、
前記光ディスクの表面側にアクセスした回数と裏面側にアクセスした回数との割合に応じて、前記表面用の光ディスクユニットと前記裏面用の光ディスクユニットとを配置した光ディスクライブラリ装置。
【請求項５】
請求項１に記載の光ディスクライブラリ装置において、
前記片面ディスクにアクセスした回数と前記両面ディスクにアクセスした回数との割合に応じて、前記表面用の光ディスクドライブユニットと前記裏面用の光ディスクドライブユニットとを配置した光ディスクライブラリ装置。
【請求項６】
請求項１に記載の光ディスクライブラリ装置において、
前記光ディスクドライブユニットを、向きを変えて取り付け可能に構成した光ディスクライブラリ装置。
【請求項７】
請求項６に記載の光ディスクライブラリ装置において、
前記光ディスクドライブユニットの向きを変えて取り付けた場合に、前記光ディスクドライブの基板側に設けたコネクタと嵌合するように、前記光ディスクドライブユニットに２つのコネクタを設けた光ディスクライブラリ装置。
【請求項８】
請求項６に記載の光ディスクライブラリ装置において、
前記光ディスクドライブユニットの向きを変えて取り付けた場合に、前記光ディスクドライブユニットのコネクタと嵌合するように、前記光ディスクドライブの基板側に２つのコネクタを設けた光ディスクライブラリ装置。
【請求項９】
複数の光ディスクを格納するカートリッジと、前記光ディスクに記録再生を行う光ディスクドライブユニットを複数備える光ディスクドライブと、前記カートリッジと前記光ディスクドライブとの間で前記光ディスクの搬送を行うディスク搬送機構を備え、元データを記録した光ディスクから移行先ディスクにデータ移行を行う光ディスクライブラリ装置であって、
前記カートリッジは、前記光ディスクとして片面ディスクと両面ディスクを格納可能なものであり、
前記片面ディスクと前記両面ディスクとの搭載されている割合に応じて、前記光ディスクドライブとして表面用の光ディスクドライブユニットと裏面用の光ディスクドライブユニットとを配置した光ディスクライブラリ装置。
【請求項１０】
請求項９に記載の光ディスクライブラリ装置において、
前記元データを記録した光ディスクは片面ディスクであり、前記移行先ディスクは両面ディスクである光ディスクライブラリ装置。
【請求項１１】
請求項１〜１０の何れか１つに記載の光ディスクライブラリ装置と、前記光ディスクライブラリ装置の動作を制御するコントローラとからなるアーカイブシステム。
【発明の詳細な説明】
【技術分野】
【０００１】
本発明は、多数の光ディスクにデータの記録再生を行う光ディスクライブラリ装置に関する。
【背景技術】
【０００２】
データを記録再生する記録媒体として光ディスクを用いたストレージ装置が用いられている。光ディスクの記録容量は、記録密度の増加や記録層の両面化・多層化により増加しているが、大量のデータを長期的に保存するために、より一層の大容量化が求められている。このため、データの長期保存に適した大容量のストレージ装置として、多数の光ディスクを用いる光ディスクライブラリ装置が開発されている。
【０００３】
光ディスクライブラリ装置は、複数の光ディスクを格納可能なディスクカートリッジ（ディスク格納装置）と光ディスクドライブ（ＯＤＤ：Ｏｐｔｉｃａｌ  Ｄｉｓｃ  Ｄｒｉｖｅ）から構成されている。光ディスクドライブは、光ディスクに対してデータの書き込み、或いは読み出しを行う。光ディスクライブラリ装置は、ディスク搬送機構を備えており、ディスク搬送機構は、ディスクカートリッジに格納された光ディスクを取り出し、光ディスクドライブに搬送して装着し、また、光ディスクドライブから光ディスクを取り外して搬送し、ディスクカートリッジに格納する。
【０００４】
特許文献１には、光ディスクライブラリ装置の１例が記載されており、「本発明のメディアライブラリ機器は，１９インチラックに搭載された光ディスク操作ロボットを備え，ロボットの両側に垂直方向に配置されたスリムフォームファクタのスロットロードドライブのために開発されている。光ディスク記憶システムは，システムレベルでモジュール化及び拡張性を提供する。ドライブは水平後面に垂直に向けられたフィールド交換可能ユニット（ＦＲＵ）内にある。ディスク操作ロボットは大きなディスクカートリッジ内の水平スタックに格納されたディスクの両面にアクセスする。小さなディスクシャトルカートリッジは大きいディスクカートリッジに装着されて，ディスクカートリッジにいくつかのディスクを挿入し，引き出す手段を提供する。」（要約）と記載されている。
【０００５】
また、特許文献２には、内蔵するドライブベイがＯＤＤを固定するための固定強度を強化したアーカイブ装置が記載されている。
【先行技術文献】
【特許文献】
【０００６】
【特許文献１】特表２０１２−５２６３３８号公報
【特許文献２】特開２０１３−２５７９２８号公報
【発明の概要】
【発明が解決しようとする課題】
【０００７】
光ディスクライブラリ装置に使用する光ディスクとしては、片面ディスクに加えて、記録容量を増加した両面ディスクも用いられる。これに対して、通常の光ディスクドライブは、光ディスクの片面しか記録再生することができない。そのため、両面ディスクの表面（Ａ面）および裏面（Ｂ面）を記録再生するために、光ディスクを回転させ表裏を切り替える回転機構を設けることが考えられる。しかし、ディスクの表裏を切り替える回転機構を設けると、装置の構造が複雑化し、大型化する。また、両面ディスクを記録再生するために、両面ディスクの表面用および裏面用の記録再生手段を備える光ディスクドライブを開発することが考えられる。しかし、この場合は、光ディスクドライブの構造が複雑化し、大型化する。
【０００８】
特許文献１或いは特許文献２には、両面ディスクと片面ディスクとが混在している場合の光ディスクの記録再生については、記載されていない。
【０００９】
本発明は、光ディスクライブラリ装置において、両面ディスクと片面ディスクとが混在している場合でも、効率的にデータにアクセスすることを目的とする。
【課題を解決するための手段】
【００１０】
上記目的を達成するために、本発明は特許請求の範囲に記載の構成を採用する。
【００１１】
本発明は、上記課題を解決する手段を複数含んでいるが、光ディスクライブラリ装置の一例を挙げるならば、複数の光ディスクを格納するディスクカートリッジと、前記光ディスクに記録再生を行う光ディスクドライブユニットを複数備える光ディスクドライブと、前記ディスクカートリッジと前記光ディスクドライブとの間で前記光ディスクの搬送を行うディスク搬送機構を備える光ディスクライブラリ装置であって、前記カートリッジは、光ディスクとして片面ディスクと両面ディスクを格納可能なものであり、前記片面ディスクと前記両面ディスクとの搭載されている割合に応じて、前記光ディスクドライブとして表面用の光ディスクドライブユニットと裏面用の光ディスクドライブユニットとを配置したものである。
【００１２】
また、本発明の光ディスクライブラリ装置の他の一例を挙げるならば、複数の光ディスクを格納するカートリッジと、前記光ディスクに記録再生を行う光ディスクドライブユニットを複数備える光ディスクドライブと、前記カートリッジと前記光ディスクドライブとの間で前記光ディスクの搬送を行うディスク搬送機構を備え、元データを記録した光ディスクから移行先ディスクにデータ移行を行う光ディスクライブラリ装置であって、前記カートリッジは、前記光ディスクとして片面ディスクと両面ディスクを格納可能なものであり、前記片面ディスクと前記両面ディスクとの搭載されている割合に応じて、前記光ディスクドライブとして表面用の光ディスクドライブユニットと裏面用の光ディスクドライブユニットとを配置したものである。
【発明の効果】
【００１３】
本発明によれば、光ディスクライブラリ装置において、両面ディスクと片面ディスクが混在している場合でも、光ディスクドライブの配置を変更することで、効率的にデータにアクセスすることができる。そして、光ディスクの表裏を切り替える回転機構を設ける必要がないので、装置の構造が簡単となり、大型化を防ぐことができる。
【図面の簡単な説明】
【００１４】
【図１】本発明の実施例１の光ディスクライブラリ装置の概略を示す図である。
【図２】光ディスクライブラリ装置の全体構造を示す斜視図である。
【図３】光ディスクライブラリ装置に用いるディスクカートリッジを示す図である。
【図４】光ディスクライブラリ装置に用いる光ディスクドライブを示す図である。
【図５】光ディスクドライブユニットを後側から見た図である。
【図６】光ディスクドライブユニットを前側から見た図である。
【図７Ａ】本発明の実施例１の光ディスクライブラリ装置（片面ディスクの場合）の概略を示す図である。
【図７Ｂ】本発明の実施例１の光ディスクライブラリ装置（両面ディスクの場合）の概略を示す図である。
【図７Ｃ】本発明の実施例１の光ディスクライブラリ装置（片面ディスクと両面ディスクの混在する場合）の概略を示す図である。
【図８】本発明の実施例２の光ディスクドライブユニットを示す図である。
【図９】本発明の実施例３の光ディスクライブラリ装置の概略を示す図である。
【図１０】本発明の実施例４のアーカイブシステムの概略を示すブロック図である。
【発明を実施するための形態】
【００１５】
本発明の実施の形態を説明する前に、光ディスクライブラリ装置の概略を説明する。
【００１６】
図２に、光ディスクライブラリ装置の斜視図を示す。図２は、外装を取り外して、内部構造が見えるようにした図である。光ディスクライブラリ装置１０の背面側には、左右両側に２つの光ディスクドライブ１２が設けられている。光ディスクドライブ１２の前面側には、多数（例えば２５０枚）の光ディスクを格納可能な格納容器であるディスクカートリッジ１５が、左右両側に着脱可能に取り付けられている。光ディスクライブラリ装置の中央部には、前後方向にスライドレール１４が設けられている。そして、スライドレール１４に沿って、ディスクカートリッジ１５と光ディスクドライブ１２間を移動可能に、ディスク搬送機構１３が設けられている。
【００１７】
図３に、光ディスクライブラリ装置から取り外したディスクカートリッジ１５を示す。ディスクカートリッジ１５には、多数のディスクスロット１６が設けられており、それぞれのディスクスロット１６に光ディスク３０を格納する（図２）。
【００１８】
図４に、光ディスクドライブ１２の、一部分解斜視図を示す。光ディスクドライブ１２において、シャーシに設けた基板２１には複数（図では３つ）の光ディスクドライブユニット（ＯＤＤユニット）２５が着脱可能に設けられている。また、シャーシには制御基板２２が取り付けられている。そして、位置を検出するためのエンコーダ２３が設けられている。
【００１９】
図５および図６に、ＯＤＤユニット２５を示す。図５は後側から見た斜視図、図６は前側から見た斜視図である。ＯＤＤユニットは、１枚の光ディスクを装着して、光ディスクの片面の書き込み、或いは読み出しを行うことができる。図５に示すように、ＯＤＤユニット２５にはコネクタ２６ａが設けられており、光ディスクドライブの基板２１に設けられたコネクタと嵌合して電気信号のやり取りを行う。
【００２０】
光ディスクライブラリ装置の動作は次のとおりである。
(1)ディスクカートリッジ１５に複数の光ディスク３０を格納して、ディスクカートリッジ１５を光ディスクライブラリ装置１０に装着する。
(2)ディスク搬送機構１３は、ディスクカートリッジ１５に格納された光ディスク３０を取り出し、光ディスクドライブ１２に搬送して装着し、データの書き込み或いは読み出しを行う。
(3)データの書き込み或いは読み出しが終了後、ディスク搬送機構１３は、光ディスクドライブ１２から光ディスク３０を取り外して搬送し、ディスクカートリッジ１５に格納する。
【００２１】
光ディスクライブラリ装置に用いる光ディスクとしては、片面ディスク以外にも両面ディスクがある。両面ディスクでは、表面（Ａ面）および裏面（Ｂ面）に記録層が設けられているので、片面ディスクに比べて記録容量が約２倍となる。しかし、通常のＯＤＤユニット２５は、光ディスクの片面しか書き込み、或いは読み出しを行うことができず、両面ディスクの表面および裏面を記録再生することはできない。
【００２２】
両面ディスクの表面および裏面を記録再生するために、光ディスクを回転させ表裏を切り替える回転機構を設けることが考えられる。しかし、ディスクの表裏を切り替える回転機構を設けると、装置の構造が複雑化し、大型化する。
【００２３】
また、両面ディスクの表面および裏面を記録再生するために、一部のＯＤＤユニットの向きを逆に配置することが考えられる。しかし、データのアクセス頻度は、光ディスクの記録状況により異なる。そのため、片面ディスクと両面ディスクとが混在している場合に、効率的にデータにアクセスできるとは限らない。
【００２４】
本発明は、このような光ディスクライブラリ装置において、両面ディスクと片面ディスクが混在している場合でも、ドライブの配置を変更することで、効率的にデータにアクセスするようにしたものである。
【００２５】
なお、本発明のライブラリ装置は次の条件を満たしているものである。
(1)光ディスクの表裏を切り替える回転機構を備えていない。
(2)光ディスクドライブ（ＯＤＤ）の向きを交互に配置することで、一方のＯＤＤでディスクの表面に、もう一方のＯＤＤでディスクの裏面にアクセスする。
【００２６】
以下に、図面に基づいて本発明の実施の形態を説明する。なお、実施の形態を説明するための各図において、同一の機能を有する要素には同一の名称、符号を付して、その繰り返しの説明を省略する。
【実施例１】
【００２７】
図１に、本発明の実施例１の光ディスクライブラリ装置の概略を示す。図１の左側に示すように、光ディスクライブラリ装置において、用いる光ディスクとしては、片面ディスク３１と両面ディスク３２とが混在している。片面ディスク３１では、基板３３の片面に記録層３４が設けられており、両面ディスク３２では、基板３３の両面（表面および裏面）に記録層３４が設けられている。
【００２８】
ＯＤＤユニット２５としては、表面用のＯＤＤユニット２５ａと裏面用のＯＤＤユニット２５ｂとが設けられている。表面用のＯＤＤユニット２５ａと裏面用のＯＤＤユニット２５ｂとは、ＯＤＤユニット２５を反転して取り付けることにより、切り替えることができる。
【００２９】
本実施例においては、片面ディスクと両面ディスクの搭載されている割合に応じて、表面用のＯＤＤユニット２５ａと裏面用のＯＤＤユニット２５ｂとの割合を変更する。なお、図では、表面用のＯＤＤユニット２５ａと裏面用のＯＤＤユニット２５ｂを、それぞれ纏めて配置しているが、表面用のＯＤＤユニット２５ａと裏面用のＯＤＤユニット２５ｂを交互に配置しても良い。
【００３０】
図７Ａ〜図７Ｃに、ＯＤＤユニットの配置の具体例を示す。
図７Ａに示す、全て片面ディスク３１の場合には、表面用のＯＤＤユニット２５ａのみを配置する。
図７Ｂに示す、全て両面ディスク３２の場合には、表面用のＯＤＤユニット２５ａと裏面用のＯＤＤユニット２５ｂとを同数（１：１の割合）で配置する。
図７Ｃに示す、片面ディスク３１と両面ディスク３２とが混在している場合には、片面ディスクと両面ディスクとを合わせて、表面の記録層の合計と裏面の記録層の合計との比に近い割合で、表面用のＯＤＤユニット２５ａと裏面用のＯＤＤユニット２５ｂとを配置する。
【００３１】
本実施例によれば、片面ディスクと両面ディスクとの割合などに応じて、表面用のＯＤＤユニット２５ａと裏面用のＯＤＤユニット２５ｂとを配置することにより、効率的に光ディスクのデータにアクセスすることができる。
【００３２】
実施例１では、片面ディスクと両面ディスクとの搭載されている割合に応じて、表面用のＯＤＤユニットと裏面用のＯＤＤユニットとの配置の割合を変更したが、変形例としては、次のようにも構成することができる。
(1)光ディスクの表面側に記録されたデータ容量と裏面側に記録されたデータ容量との割合に応じて、表面用のＯＤＤユニット２５ａと裏面用のＯＤＤユニット２５ｂとを配置する。
(2)光ディスクの表面側に記録されているファイル数と裏面側に記録されているファイル数との割合に応じて、表面用のＯＤＤユニット２５ａと裏面用のＯＤＤユニット２５ｂとを配置する。
(3)表面側のディスクにアクセスした回数と裏面側のディスクにアクセスした回数との割合に応じて、表面用のＯＤＤユニット２５ａと裏面用のＯＤＤユニット２５ｂとを配置する。
(4)片面ディスクにアクセスした回数と両面ディスクにアクセスした回数との割合に応じて、表面用のＯＤＤユニット２５ａと裏面用のＯＤＤユニット２５ｂとを配置する。この場合、両面ディスクにアクセスした回数は、例えば、表面側に１／２、裏面側に１／２だけアクセスしたとして計算すればよい。
【実施例２】
【００３３】
本発明においては、表面用のＯＤＤユニットと裏面用のＯＤＤユニットとを変更するには、ＯＤＤユニットの向きを変えて取り付ける必要がある。本実施例は、ＯＤＤユニットを容易に向きを変えて取り付けることができるように構成したものである。
【００３４】
図５に示すように、ＯＤＤユニット２５の背面側には、光ディスクドライブ１２の基板２１側に設けたコネクタ（図示せず）と嵌合するコネクタ２６ａが設けられている。本実施例では、図８に示すように、このコネクタ２６ａに加えて、向きを変えて取り付けた場合用のコネクタ２６ｂを設ける。ＯＤＤユニット２５の向きを変えて取り付けた場合には、コネクタ２６ｂが光ディスクドライブ１２の基板側に設けたコネクタと嵌合し、電気接続を行うことができる。
【００３５】
本実施例では、ＯＤＤユニット側に２つのコネクタを設けたが、光ディスクドライブの基板側に２つのコネクタを設けてもよい。すなわち、光ディスクドライブの基板側に２つのコネクタを設け、ＯＤＤユニットの一方の取り付け位置ではコネクタ２６ａが一方のコネクタに嵌合し、ＯＤＤユニットの向きを変えて取り付けた場合にはコネクタ２６ａが他方のコネクタに嵌合するようにすればよい。
【実施例３】
【００３６】
本発明の実施例３は、データ移行（マイグレーション）の場合の光ディスクドライブの配置を改良したものである。図９は、本実施例の光ディスクライブラリ装置の概略を示す図である。元データは片面ディスクに記録されており、移行先ディスクである両面ディスクにデータ移行を行う。
【００３７】
移行手順の一例を示す。
(1)光ディスクライブラリ装置の左側に、元データが記録されている片面ディスク３１を配置し、右側に移行先の両面ディスク３２（ブランクディスク）を配置する。
(2)光ディスクドライブの配置は、左側は全て表面用のＯＤＤユニット２５ａを配置し、右側は表面用のＯＤＤユニット２５ａと裏面用のＯＤＤユニット２５ｂとを半数ずつ配置する。
(3)ディスク搬送機構１３で、片面ディスク３１および両面ディスク３２を、カートリッジ１５とＯＤＤユニットとの間を搬送し、左側のＯＤＤユニットで片面ディスク３１から元データを再生し、右側のＯＤＤユニットで再生したデータを両面ディスクに記録する。
(4)データ移行終了後は、必要に応じて、例えば左側のＯＤＤユニットが、表面用のＯＤＤユニット２５ａと裏面用のＯＤＤユニット２５ｂとが半数ずつになるように、入れ替えて終了する。
【００３８】
本実施例において、元データが全て片面ディスクに記録されているとして、左側には全て表面用のＯＤＤユニット２５ａを配置したが、元データが片面ディスクと両面ディスクに混在して記録されている場合には、片面ディスクと両面ディスクの搭載されている割合に応じて、表面用のＯＤＤユニットと裏面用のＯＤＤユニットとの配置の割合を変更すればよい。また、移行先ディスクとしても、片面ディスクと両面ディスクが混在している場合には、片面ディスクと両面ディスクの搭載されている割合に応じて、表面用のＯＤＤユニットと裏面用のＯＤＤユニットとの配置の割合を変更すればよい。
【００３９】
本実施例によれば、データ移行の場合に、ＯＤＤユニットの配置を変更することで、短時間にデータ移行が可能となる。
【実施例４】
【００４０】
本発明の実施例４は、上記実施例１〜３の光ディスクライブラリ装置を組み込んだアーカイブシステムである。図１０に、本実施例のアーカイブシステムの概略ブロック図を示す。アーカイブシステムは、上位にライブラリコントローラ（アーカイブサーバー）１００があり、スイッチ装置１１０を介して複数（例えば９台）の光ディスクリブラリ装置１０が接続されている。コントローラ１００としては、パソコン等のコンピュータを用いることができ、図示していないが表示手段や入力手段を備えている。コントローラ１００で光ディスクライブラリ装置１０の動作を制御し、実施例１のデータの書き込みや読み出し、実施例３のデータの移行を制御する。
【符号の説明】
【００４１】
１０  光ディスクライブラリ装置
１２  光ディスクドライブ（ＯＤＤ）
１３  ディスク搬送機構
１４  スライドレール
１５  ディスクカートリッジ
１６  ディスクスロット
２１  基板
２２  制御基板
２３  エンコーダ
２５  ＯＤＤユニット
２５ａ  表面用のＯＤＤユニット
２５ｂ  裏面用のＯＤＤユニット
２６ａ，２６ｂ  コネクタ
３０  ディスク
３１  片面ディスク
３２  両面ディスク
３３  基板
３４  記録層
１００  ライブラリコントローラ
１１０  スイッチ装置
【図１】
2015176613.tif 000003
【図２】
2015176613.tif 000004
【図３】
2015176613.tif 000005
【図４】
2015176613.tif 000006
【図５】
2015176613.tif 000007
【図６】
2015176613.tif 000008
【図７Ａ】
2015176613.tif 000009
【図７Ｂ】
2015176613.tif 000010
【図７Ｃ】
2015176613.tif 000011
【図８】
2015176613.tif 000012
【図９】
2015176613.tif 000013
【図１０】
2015176613.tif 000014